(57)【特許請求の範囲】
【請求項１】
魚釣りに用いるルアーであって、
ルアー本体と、
前記ルアー本体の頭部にルアー本体の周径より大径に形成された水押部と、
前記水押部において上下方向に伸びて形成された釣糸係止部と、
前記ルアー本体尾部付近に配置された錘と、
を備えたルアー。
【請求項２】
前記水押部は透明部材である、請求項１に記載のルアー。
【請求項３】
前記水押部はルアー本体の長さ方向に向かって形成された窪み部を有している、請求項１または２に記載のルアー。
【請求項４】
前記釣糸係止部は、前記窪み部の中心を跨いで上下方向に伸びている、
請求項３に記載のルアー。
【発明の詳細な説明】
【０００１】
【発明の属する技術分野】
本発明は、魚釣りに用いるルアー、特に、口の部分がカットされた様な形をしたポッパーと呼ばれるルアーに関する。
【０００２】
【従来の技術】
従来のポッパーと呼ばれるルアーは、合成樹脂等で魚に似せて形成されたルアー本体と、ルアー本体頭部に設けられた平面部と、前記平面部に設けられ釣糸を係止可能な釣糸係止部と、ルアー本体腹部および尾部に連結されたフックとを有している。
【０００３】
このルアーでは、釣糸係止部に釣糸を係止して水中にキャスティングした後、リトリーブすると平面部に水流が当たる。この水流が当たった平面部は、水を押し出して水流を発生するとともに水音（以下、ポップ音という）を発生し、魚に強くアピールする。
【０００４】
【発明が解決しようとする課題】
ルアーに慣れてしまい釣れにくくなった魚（以下、スレた魚という）は、従来のポッパーのポップ音に反応しなくなっている。逆に、大きなポップ音を発生するポッパーは、魚をおびき寄せるどころか魚を追い払ってしまう場合さえもある。このようなポップ音に慣れてしまったスレた魚には、ポップ音を発生させることなく水を押し出して水流のみを発生させるのが効果的であることがわかってきた。
【０００５】
従来のホッパーでホップ音を発生させることなく水流のみ発生させるには、ポッパーに激しいアクションをつけることなく、ゆっくりとリトリーブする必要がある。しかし、このようにゆっくりリトリーブしたのでは、確かにポップ音は発生しにくくなるが水流も発生しにくくなり、結局、魚に強くアピールできない。
【０００６】
本発明の課題は、ポップ音を発生せず大きな水流を発生できるポッパー型ルアーを提供することにある。
【０００７】
【課題を解決するための手段】
発明１にかかるルアーは、魚釣りに用いるルアーであって、ルアー本体と、ルアー本体の頭部にルアー本体の周径より大径に形成された水押部と、水押部において上下方向に伸びて形成された釣糸係止部と、ルアー本体尾部付近に配置された錘とを備えている。
【０００８】
この場合には、リトリーブ時にルアー本体部に比べて大径に形成された水押部が多くの水を押し出して水流を発生する。水押部のみ大径になっており、ルアー本体自体は小魚に似せた外観を維持している。この結果、ゆっくりとリトリーブしても十分に水流を発生可能であり、ポップ音を発生させずに十分な水流を発生させる。
【０００９】
また、水押部に釣糸係止部が設けられているので、釣糸を巻き取りながら行うリトリーブ時に水が水押部に直接あたり、水押部が水を効果的に押し出す。この結果、水流がさらに効果的に発生する。
【００１０】
さらに、釣糸係止部上を滑動可能に釣糸を釣糸係止部に係止する。キャスティングされたルアーは、尾部付近に配置された錘によって尾部側を沈め頭部側を水面に浮き上がらせた状態で浮遊する。この場合、釣糸は釣糸自らの重さによって釣糸係止部の下端側に位置している。続いて、釣糸を引き寄せてリトリーブすると、釣糸はリトリーブの調子に応じて釣糸係止部上を滑動し、水押部の水に対する角度がリトリーブに応じて変化する。この結果、水押部はリトリーブに応じて水をとらえて、ポップ音を発生させることなく十分な水流を発生する。
【００１１】
発明２にかかるルアーは、発明１のルアーであって、水押部は透明部材である。
【００１２】
この場合には、ルアー本体の水押部は透明な部材であって外観上目立たない。この結果、小魚に似せた外観をより維持できる。
【００１３】
発明３にかかるルアーは、発明１または２のルアーであって、水押部はルアー本体の長さ方向に向かって形成された窪み部を有している。
【００１４】
この場合には、水押部に形成された窪み部がリトリーブ時に水を受け止めて、水押部に当たった水を逃がすことなく押し出す。この結果、さらに効果的に水流を発生する。
【００１５】
発明４にかかるルアーは、発明３のルアーであって、釣糸係止部は、窪み部の中心を跨いで上下方向に伸びている。
【００１６】
【発明の実施の形態】
［参考例］
以下、本発明の参考例について、図面を参照しつつ説明する。
【００１７】
本発明の参考例を採用したルアーは、図１〜３に示すように、プラスチック製のルアー本体１と、ルアー本体１の頭部前面に形成されルアー本体１の周径より大径に形成された水押部２と、水押部２に形成され釣糸を係止可能な釣糸係止部３と、ルアー本体１の腹部及び尾部付近にそれぞれ設けられたアイ（止め輪）３，４とを有している。また、ルアー本体１の腹部及び尾部付近内部にはそれぞれ錘６，７が配置されている。
【００１８】
ルアー本体１は外形を魚に似せて形成した合成樹脂製の部材であって、左右対称な一対の半割り部材から形成されている。この半割り部材の開口側の張り合わせ面の所定の位置に、釣糸係止部２やアイ３，４及び錘６，７を配置し、接着剤等で一対の半割り部材を張り合わせて形成されている。さらに、外表面には魚に似せて鰓や鱗などの様々な模様が塗装されている。
【００１９】
水押部２は、図３に詳しく示すように、ルアー本体１の周径より外方に広がった周縁部１０と、周縁部１０の中心にルアー本体１の長さ方向尾部側に向かって凹状に形成された窪み部１１とを有している。そして、窪み部１１の下方に釣糸係止部３が設けられている。
【００２０】
この周縁部１０及び窪み部１１はルアー本体１と共に一体成形されている。周縁部１０は、周外方向に、特に、上方にやや大きく張り出しており、窪み部１１と連続してルアー本体１の長さ方向尾部側に向かって凹状になるようになだらかに形成され、前方からの水を十分に受け止め可能なようになっている。なお、水押部２は魚の口の形に似せて形成されており、全体として魚が口を大きく開けた状態になっている。
【００２１】
このように構成されたルアーは、釣糸係止部３に釣糸を係止し、アイ３，４にはそれぞれスプリットリング（図示せず）を介してフック（図示せず）を連結して使用される。水中の狙ったポイントにキャスティング後、釣糸を巻き取りながらリトリーブすると、このルアーは水面付近を前方に移動する。この際、水押部２が前方からの水を十分に受け止めて水流を発生させる。ポップ音を発生させないようにゆっくりとリトリーブしても十分な水流が発生する。なお、水押部２の周縁部１０はルアー本体１の周径より大きく外方に突出しており、ルアー本体１自体の外観は魚に似せた流線型のままである。
【００２２】
以上のように、本発明の参考例を採用したルアーでは、ルアー本体１の周径より大径に形成された水押部２が水を十分に押し出して水流を発生するので、ゆっくりとリトリーブしても十分な水流を発生させることができる。この結果、ポップ音を発生させることなく水流のみ発生させることができ、スレた魚にも十分にアピールできる。さらに窪み部１１が水を効果的にとらえて水流を発生させる。具体的には、０．４〜０．６（ｍ／秒）程度のリトリーブで、ポップ音を発生させることなく水流を発生可能であった。
【００２３】
［第１実施形態］
以下、本発明の第１実施形態について、図面を参照しつつ説明する。
【００２４】
本発明の第１実施形態を採用したルアーの水押部２は、図４及び図５に示すように、ルアー本体１の周径より外方に広がった周縁部１０と、周縁部１０の中心にルアー本体１の長さ方向尾部側に凹状に形成された窪み部１１とを有している。そして、窪み部１１には上下方向に伸びた釣糸係止部４０が設けられている。
【００２５】
また、ルアー本体１の尾部付近には錘８が配置されている。
【００２６】
この釣糸係止部４０は金属製アーム状部材である。そして、釣糸Ｌがこの釣糸係止部４０上を滑動可能に係止されている。この釣糸係止部４０も、ルアー本体１を構成する左右対称な１対の半割り部材の開口側の張り合わせ面の所定の位置に、アイ３，４及び錘８と共に配置され固定されている。
【００２７】
なお、その他の構成は参考例と同様であり、説明を省略する。
【００２８】
このように構成されたルアーでは、ルアーをキャスティングすると、図６（ａ）に示すように、尾部付近に配置された錘８によって尾部側を沈め頭部側を水面に浮き上がらせた状態で浮遊する。この場合、釣糸Ｌは釣糸Ｌ自らの重さによって釣糸係止部４０の下端側に位置している。続いて、釣糸Ｌを引き寄せてリトリーブすると、図６（ｂ）に示すように、釣糸Ｌはリトリーブの調子に応じて釣糸係止部４０上を滑動し、水押部の水に対する角度がリトリーブに応じて変化する。即ち、リトリーブに応じて、釣糸Ｌがスライドして水押部に当たる過度の水を逃がし、ポップ音を発生させることなく十分な水流を発生する。
【００２９】
［他の実施形態］
（ａ）釣糸係止部はルアー本体の水押部以外の箇所に設けてもよい。例えば、ルアー本体の頭部上側に設けてもよい。
【００３０】
（ｂ）水押部は、特に窪み部を設けることなく平面状に形成してもよい。
【００３１】
（ｃ）ルアー本体１を透明なプラスチック素材で成形し、水押部２の周縁部１０をそのまま透明なプラスチック素材を露出させ、他のルアー本体１の表面は魚に似せて様々な模様等を施してもよい。このようにすることで、外観をより魚に似せることができる。
【００３２】
【発明の効果】
本発明にかかるルアーによれば、ルアー本体の周径より大径に形成された水押部を有しているので、ポップ音を発生せず大きな水流を発生できる。
【図面の簡単な説明】
【図１】  本発明の参考例を採用したルアーの側面図。
【図２】  本発明の参考例を採用したルアーの上面図。
【図３】  本発明の参考例を採用したルアーを頭部側から見た図。
【図４】  本発明の第１実施形態を採用したルアーの側面図。
【図５】  本発明の第１実施形態を採用したルアーを頭部側から見た図。
【図６】  本発明の第１実施形態を採用したルアーのキャスティング直後の図（ａ）と、リトリーブ時の図（ｂ）。
【符号の説明】
１  ルアー本体
２  水押部
３，４０  釣糸係止部
４，５  アイ
６，７，８  錘
【図１】
0003920982.tif 000002
【図２】
0003920982.tif 000003
【図３】
0003920982.tif 000004
【図４】
0003920982.tif 000005
【図５】
0003920982.tif 000006
【図６】
0003920982.tif 000007